(57)【要約】【課題】電力需要施設における電力消費を管理するとともに、当該電力消費に関する有用な情報を提供することが可能な電力消費管理装置、電力消費管理システム、電力消費管理方法および電力消費管理プログラムを提供する。【解決手段】電力消費管理装置は、電力系統側から電力消費に関する電力管理情報を取得する管理情報取得部と、前記電力管理情報に基づいて、前記電力需要施設における電力消費に関する指示情報を前記電力需要施設に通知する指示部と、前記指示情報の内容、および前記電力需要施設における電力消費に関する前記電力需要施設からの電力消費情報の内容の少なくともいずれか一方を保持する処理を行う記録部と、前記記録部によって保持された内容に基づいて、対象期間において前記電力需要施設で行われた電力消費に関する電力関連情報を作成する関連情報作成部とを備える。【選択図】図９
2016015850.tif 000002
【特許請求の範囲】
【請求項１】
電力需要施設における電力消費を管理する電力消費管理装置であって、
電力系統側から電力消費に関する電力管理情報を取得する管理情報取得部と、
前記電力管理情報に基づいて、前記電力需要施設における電力消費に関する指示情報を前記電力需要施設に通知する指示部と、
前記指示情報の内容、および前記電力需要施設における電力消費に関する前記電力需要施設からの電力消費情報の内容の少なくともいずれか一方を保持する処理を行う記録部と、
前記記録部によって保持された内容に基づいて、対象期間において前記電力需要施設で行われた電力消費に関する電力関連情報を作成する関連情報作成部とを備える、電力消費管理装置。
【請求項２】
前記指示部は、前記指示情報を所定の通信プロトコルに従って前記電力需要施設へ送信し、
前記電力消費管理装置は、さらに、
前記通信プロトコルに従って前記電力関連情報を前記電力需要施設へ送信する関連情報送信部を備える、請求項１に記載の電力消費管理装置。
【請求項３】
前記電力消費管理装置は、さらに、
前記電力関連情報の内容を示す画面の情報を作成する表示情報作成部を備える、請求項１または請求項２に記載の電力消費管理装置。
【請求項４】
前記電力消費管理装置は、さらに、
前記対象期間を指定するための期間指定情報を取得する要求内容取得部を備える、請求項１から請求項３のいずれか１項に記載の電力消費管理装置。
【請求項５】
電力需要施設における電力消費を管理する電力消費管理装置と、
前記電力需要施設に設けられた需要家装置とを備え、
前記電力消費管理装置は、電力系統側から電力消費に関する電力管理情報を受信して、前記電力管理情報に基づいて、前記電力需要施設における電力消費に関する指示情報を前記需要家装置へ送信し、
前記需要家装置は、前記電力消費管理装置から前記指示情報を受信して、前記指示情報に基づいて負荷を制御し、
前記電力消費管理装置は、前記指示情報の内容、および前記電力需要施設における電力消費に関する前記需要家装置からの電力消費情報の内容の少なくともいずれか一方を保持する処理を行い、
前記電力消費管理装置は、前記処理において保持した内容に基づいて、対象期間において前記電力需要施設で行われた電力消費に関する電力関連情報を作成する、電力消費管理システム。
【請求項６】
電力需要施設における電力消費を管理する電力消費管理装置における電力消費管理方法であって、
電力系統側から電力消費に関する電力管理情報を取得するステップと、
前記電力管理情報に基づいて、前記電力需要施設における電力消費に関する指示情報を前記電力需要施設に通知するステップと、
前記指示情報の内容、および前記電力需要施設における電力消費に関する前記電力需要施設からの電力消費情報の内容の少なくともいずれか一方を保持する処理を行うステップと、
前記処理において保持した内容に基づいて、対象期間において前記電力需要施設で行われた電力消費に関する電力関連情報を作成するステップとを含む、電力消費管理方法。
【請求項７】
電力需要施設における電力消費を管理する電力消費管理装置と、前記電力需要施設に設けられた需要家装置とを備える電力消費管理システムにおける電力消費管理方法であって、
前記電力消費管理装置が、電力系統側から電力消費に関する電力管理情報を受信して、前記電力管理情報に基づいて、前記電力需要施設における電力消費に関する指示情報を前記需要家装置へ送信するステップと、
前記需要家装置が、前記電力消費管理装置から前記指示情報を受信して、前記指示情報に基づいて負荷を制御するステップと、
前記電力消費管理装置が、前記指示情報の内容、および前記電力需要施設における電力消費に関する前記需要家装置からの電力消費情報の内容の少なくともいずれか一方を保持する処理を行うステップと、
前記電力消費管理装置が、前記処理において保持した内容に基づいて、対象期間において前記電力需要施設で行われた電力消費に関する電力関連情報を作成するステップとを含む、電力消費管理方法。
【請求項８】
電力需要施設における電力消費を管理する電力消費管理装置において用いられる電力消費管理プログラムであって、コンピュータに、
電力系統側から電力消費に関する電力管理情報を取得するステップと、
前記電力管理情報に基づいて、前記電力需要施設における電力消費に関する指示情報を前記電力需要施設に通知するステップと、
前記指示情報の内容、および前記電力需要施設における電力消費に関する前記電力需要施設からの電力消費情報の内容の少なくともいずれか一方を保持する処理を行うステップと、
前記処理において保持した内容に基づいて、対象期間において前記電力需要施設で行われた電力消費に関する電力関連情報を作成するステップとを実行させるための、電力消費管理プログラム。
【請求項９】
電力需要施設における電力消費を管理する電力消費管理装置と、前記電力需要施設に設けられた需要家装置とを備える電力消費管理システムにおいて用いられる電力消費管理プログラムであって、コンピュータに、
前記電力消費管理装置が、電力系統側から電力消費に関する電力管理情報を受信して、前記電力管理情報に基づいて、前記電力需要施設における電力消費に関する指示情報を前記需要家装置へ送信するステップと、
前記需要家装置が、前記電力消費管理装置から前記指示情報を受信して、前記指示情報に基づいて負荷を制御するステップと、
前記電力消費管理装置が、前記指示情報の内容、および前記電力需要施設における電力消費に関する前記需要家装置からの電力消費情報の内容の少なくともいずれか一方を保持する処理を行うステップと、
前記電力消費管理装置が、前記処理において保持した内容に基づいて、対象期間において前記電力需要施設で行われた電力消費に関する電力関連情報を作成するステップとを実行させるための、電力消費管理プログラム。
【発明の詳細な説明】
【技術分野】
【０００１】
本発明は、電力消費管理装置、電力消費管理システム、電力消費管理方法および電力消費管理プログラムに関し、特に、電力消費に関する情報をユーザーに提示する処理を行う電力消費管理装置、電力消費管理システム、電力消費管理方法および電力消費管理プログラムに関する。
【背景技術】
【０００２】
従来、電力需給が逼迫している場合等に一般家庭およびオフィス等の電力需要施設における電力消費が抑制されるように、電力需要施設における電力消費を管理するシステムが開発されている。
【０００３】
たとえば、特許文献１（特開２０１２−２０５３５８号公報）には、以下のような技術が開示されている。すなわち、電力管理システムは、予め登録された複数の参加者を含むコミュニティに関する参加者リストを保持する保持部と、電力削減制御の実行の要否を判定する判定部と、電力削減制御の実行が必要であると判定部が判定した場合に、参加者リストに含まれている複数の参加者の中から、電力削減制御の対象となる一以上の対象者を選定する選定部と、選定部によって選定された対象者に関して、電力削減制御を実行する制御部と、電力削減制御が実行された対象者に対して、削減電力に基づく特典を付与する付与部とを備える。
【０００４】
また、節電を目的として、家庭またはビル等の電力需要施設へのエネルギーマネジメントシステムｘＥＭＳ（Ｅｎｅｒｇｙ  Ｍａｎａｇｅｍｅｎｔ  Ｓｙｓｔｅｍ）の導入が行われている。
【０００５】
ｘＥＭＳとは、電力需要施設における消費電力量を監視し、電力需要施設における機器または設備等の運転状態を管理することによって、電力需要施設における電力消費の抑制を図るためのシステムである。ｘＥＭＳは、家庭向けである場合、ＨＥＭＳ（Ｈｏｍｅ  Ｅｎｅｒｇｙ  Ｍａｎａｇｅｍｅｎｔ  Ｓｙｓｔｅｍ）となり、ビル向けである場合、ＢＥＭＳ（Ｂｕｉｌｄｉｎｇ  Ｅｎｅｒｇｙ  Ｍａｎａｇｅｍｅｎｔ  Ｓｙｓｔｅｍ）となる。
【０００６】
ｘＥＭＳは、たとえばアグリゲータと呼ばれる事業者と連携することによって電力需要の抑制を実現する。アグリゲータは、ｘＥＭＳを導入した電力需要施設に対してエネルギー管理支援サービスを提供する。
【先行技術文献】
【特許文献】
【０００７】
【特許文献１】特開２０１２−２０５３５８号公報
【特許文献２】特開２０１３−１６１１４４号公報
【発明の概要】
【発明が解決しようとする課題】
【０００８】
ところで、ｘＥＭＳを導入した電力需要施設の消費電力量の推移等をユーザーのモニターに表示する場合がある。モニターに表示される情報は、たとえばアグリゲータが当該電力需要施設における消費電力量の監視結果に基づいて作成し、ユーザーの端末装置等に送信される。
【０００９】
このような電力需要施設の電力消費に関するより有用な情報をユーザーに提供できる技術が望まれる。
【００１０】
この発明は、上述の課題を解決するためになされたもので、その目的は、電力需要施設における電力消費を管理するとともに、当該電力消費に関する有用な情報を提供することが可能な電力消費管理装置、電力消費管理システム、電力消費管理方法および電力消費管理プログラムを提供することである。
【課題を解決するための手段】
【００１１】
（１）上記課題を解決するために、この発明のある局面に係る電力消費管理装置は、電力需要施設における電力消費を管理する電力消費管理装置であって、電力系統側から電力消費に関する電力管理情報を取得する管理情報取得部と、前記電力管理情報に基づいて、前記電力需要施設における電力消費に関する指示情報を前記電力需要施設に通知する指示部と、前記指示情報の内容、および前記電力需要施設における電力消費に関する前記電力需要施設からの電力消費情報の内容の少なくともいずれか一方を保持する処理を行う記録部と、前記記録部によって保持された内容に基づいて、対象期間において前記電力需要施設で行われた電力消費に関する電力関連情報を作成する関連情報作成部とを備える。
【００１２】
（５）上記課題を解決するために、この発明のある局面に係る電力消費管理システムは、電力需要施設における電力消費を管理する電力消費管理装置と、前記電力需要施設に設けられた需要家装置とを備え、前記電力消費管理装置は、電力系統側から電力消費に関する電力管理情報を受信して、前記電力管理情報に基づいて、前記電力需要施設における電力消費に関する指示情報を前記需要家装置へ送信し、前記需要家装置は、前記電力消費管理装置から前記指示情報を受信して、前記指示情報に基づいて負荷を制御し、前記電力消費管理装置は、前記指示情報の内容、および前記電力需要施設における電力消費に関する前記需要家装置からの電力消費情報の内容の少なくともいずれか一方を保持する処理を行い、前記電力消費管理装置は、前記処理において保持した内容に基づいて、対象期間において前記電力需要施設で行われた電力消費に関する電力関連情報を作成する。
【００１３】
（６）上記課題を解決するために、この発明のある局面に係る電力消費管理方法は、電力需要施設における電力消費を管理する電力消費管理装置における電力消費管理方法であって、電力系統側から電力消費に関する電力管理情報を取得するステップと、前記電力管理情報に基づいて、前記電力需要施設における電力消費に関する指示情報を前記電力需要施設に通知するステップと、前記指示情報の内容、および前記電力需要施設における電力消費に関する前記電力需要施設からの電力消費情報の内容の少なくともいずれか一方を保持する処理を行うステップと、前記処理において保持した内容に基づいて、対象期間において前記電力需要施設で行われた電力消費に関する電力関連情報を作成するステップとを含む。
【００１４】
（７）上記課題を解決するために、この発明の別の局面に係る電力消費管理方法は、電力需要施設における電力消費を管理する電力消費管理装置と、前記電力需要施設に設けられた需要家装置とを備える電力消費管理システムにおける電力消費管理方法であって、前記電力消費管理装置が、電力系統側から電力消費に関する電力管理情報を受信して、前記電力管理情報に基づいて、前記電力需要施設における電力消費に関する指示情報を前記需要家装置へ送信するステップと、前記需要家装置が、前記電力消費管理装置から前記指示情報を受信して、前記指示情報に基づいて負荷を制御するステップと、前記電力消費管理装置が、前記指示情報の内容、および前記電力需要施設における電力消費に関する前記需要家装置からの電力消費情報の内容の少なくともいずれか一方を保持する処理を行うステップと、前記電力消費管理装置が、前記処理において保持した内容に基づいて、対象期間において前記電力需要施設で行われた電力消費に関する電力関連情報を作成するステップとを含む。
【００１５】
（８）上記課題を解決するために、この発明のある局面に係る電力消費管理プログラムは、電力需要施設における電力消費を管理する電力消費管理装置において用いられる電力消費管理プログラムであって、コンピュータに、電力系統側から電力消費に関する電力管理情報を取得するステップと、前記電力管理情報に基づいて、前記電力需要施設における電力消費に関する指示情報を前記電力需要施設に通知するステップと、前記指示情報の内容、および前記電力需要施設における電力消費に関する前記電力需要施設からの電力消費情報の内容の少なくともいずれか一方を保持する処理を行うステップと、前記処理において保持した内容に基づいて、対象期間において前記電力需要施設で行われた電力消費に関する電力関連情報を作成するステップとを実行させるためのプログラムである。
【００１６】
（９）上記課題を解決するために、この発明の別の局面に係る電力消費管理プログラムは、電力需要施設における電力消費を管理する電力消費管理装置と、前記電力需要施設に設けられた需要家装置とを備える電力消費管理システムにおいて用いられる電力消費管理プログラムであって、コンピュータに、前記電力消費管理装置が、電力系統側から電力消費に関する電力管理情報を受信して、前記電力管理情報に基づいて、前記電力需要施設における電力消費に関する指示情報を前記需要家装置へ送信するステップと、前記需要家装置が、前記電力消費管理装置から前記指示情報を受信して、前記指示情報に基づいて負荷を制御するステップと、前記電力消費管理装置が、前記指示情報の内容、および前記電力需要施設における電力消費に関する前記需要家装置からの電力消費情報の内容の少なくともいずれか一方を保持する処理を行うステップと、前記電力消費管理装置が、前記処理において保持した内容に基づいて、対象期間において前記電力需要施設で行われた電力消費に関する電力関連情報を作成するステップとを実行させるためのプログラムである。
【００１７】
本発明は、このような特徴的な処理部を備える電力消費管理装置として実現することができるだけでなく、電力消費管理装置の一部または全部を実現する半導体集積回路として実現することができる。
【発明の効果】
【００１８】
この発明によれば、電力需要施設における電力消費を管理するとともに、当該電力消費に関する有用な情報を提供することができる。
【図面の簡単な説明】
【００１９】
【図１】図１は、本発明の実施の形態に係る電力消費管理システムの概要を説明するための図である。
【図２】図２は、本発明の第１の実施の形態に係る電力消費管理システムの構成を示す図である。
【図３】図３は、本発明の第１の実施の形態に係る電力消費管理システムにおける通信プロトコルの一例を示す図である。
【図４】図４は、本発明の実施の形態に係る電力消費管理装置がＯｐｅｎＡＤＲ２．０で規定された通信プロトコルに従って需要家装置へ送信することが可能な指示情報の内容の一例を示す図である。
【図５】図５は、本発明の実施の形態に係る電力消費管理装置がＯｐｅｎＡＤＲ２．０で規定された通信プロトコルに従って指示情報を送信する際のシーケンスの一例を示す図である。
【図６】図６は、本発明の実施の形態に係る電力消費管理装置がＯｐｅｎＡＤＲ２．０で規定された通信プロトコルに従って需要家装置へ送信することが可能なレポート情報の内容の一例を示す図である。
【図７】図７は、本発明の実施の形態に係る電力消費管理装置がＯｐｅｎＡＤＲ２．０で規定された通信プロトコルに従ってレポート情報を送信する際のシーケンスの一例を示す図である。
【図８】図８は、本発明の実施の形態に係る電力消費管理システムの適用例を示す図である。
【図９】図９は、本発明の実施の形態に係る電力消費管理装置の構成を示す図である。
【図１０】図１０は、本発明の実施の形態に係る電力消費管理システムにおいて、通信端末装置の画面に表示される内容の一例を示す図である。
【図１１】図１１は、本発明の実施の形態に係る電力消費管理システムにおいて、通信端末装置の画面に表示される内容の他の例を示す図である。
【図１２】図１２は、本発明の実施の形態に係る電力消費管理システムにおいて、通信端末装置の画面に表示される内容の他の例を示す図である。
【図１３】図１３は、本発明の実施の形態に係る電力消費管理システムが電力関連情報を作成する際の動作手順の一例を定めたシーケンス図である。
【図１４】図１４は、本発明の実施の形態に係る電力消費管理システムが電力関連情報を作成する際の動作手順の他の例を定めたシーケンス図である。
【発明を実施するための形態】
【００２０】
最初に、本発明の実施の形態の内容を列記して説明する。
【００２１】
（１）本発明の実施の形態に係る電力消費管理装置は、電力需要施設における電力消費を管理する電力消費管理装置であって、電力系統側から電力消費に関する電力管理情報を取得する管理情報取得部と、前記電力管理情報に基づいて、前記電力需要施設における電力消費に関する指示情報を前記電力需要施設に通知する指示部と、前記指示情報の内容、および前記電力需要施設における電力消費に関する前記電力需要施設からの電力消費情報の内容の少なくともいずれか一方を保持する処理を行う記録部と、前記記録部によって保持された内容に基づいて、対象期間において前記電力需要施設で行われた電力消費に関する電力関連情報を作成する関連情報作成部とを備える。
【００２２】
このような構成により、電力需要施設の電力消費を抑制するとともに、当該電力需要施設の電力消費に関する情報を収集して保持し、たとえば電力需要施設におけるユーザーから情報を要求された場合に、保持した内容を用いて当該ユーザーの要求内容に沿う情報を作成することができる。したがって、電力需要施設における電力消費を管理するとともに、当該電力消費に関する有用な情報を提供することができる。
【００２３】
（２）好ましくは、前記指示部は、前記指示情報を所定の通信プロトコルに従って前記電力需要施設へ送信し、前記電力消費管理装置は、さらに、前記通信プロトコルに従って前記電力関連情報を前記電力需要施設へ送信する関連情報送信部を備える。
【００２４】
このような構成により、所定の通信プロトコルに従って電力消費管理装置と通信を行う電力需要施設における装置へ電力関連情報を送信することができるため、たとえば他の装置を介することなく直接的に電力関連情報の内容を電力需要施設におけるユーザーに提示することができる。
【００２５】
（３）好ましくは、前記電力消費管理装置は、さらに、前記電力関連情報の内容を示す画面の情報を作成する表示情報作成部を備える。
【００２６】
このような構成により、Ｗｅｂサイト等の汎用的な技術を用いて管理情報の内容をユーザーに提示することができる。
【００２７】
（４）好ましくは、前記電力消費管理装置は、さらに、前記対象期間を指定するための期間指定情報を取得する要求内容取得部を備える。
【００２８】
このような構成により、たとえばユーザーによって指定された期間の情報を選択的に作成してユーザーに提示することができる。
【００２９】
（５）本発明の実施の形態に係る電力消費管理システムは、電力需要施設における電力消費を管理する電力消費管理装置と、前記電力需要施設に設けられた需要家装置とを備え、前記電力消費管理装置は、電力系統側から電力消費に関する電力管理情報を受信して、前記電力管理情報に基づいて、前記電力需要施設における電力消費に関する指示情報を前記需要家装置へ送信し、前記需要家装置は、前記電力消費管理装置から前記指示情報を受信して、前記指示情報に基づいて負荷を制御し、前記電力消費管理装置は、前記指示情報の内容、および前記電力需要施設における電力消費に関する前記需要家装置からの電力消費情報の内容の少なくともいずれか一方を保持する処理を行い、前記電力消費管理装置は、前記処理において保持した内容に基づいて、対象期間において前記電力需要施設で行われた電力消費に関する電力関連情報を作成する。
【００３０】
このような構成により、電力需要施設の電力消費を抑制するとともに、当該電力需要施設の電力消費に関する情報を収集して保持し、たとえば電力需要施設におけるユーザーから情報を要求された場合に、保持した内容を用いて当該ユーザーの要求内容に沿う情報を作成することができる。したがって、電力需要施設における電力消費を管理するとともに、当該電力消費に関する有用な情報を提供することができる。
【００３１】
（６）本発明の実施の形態に係る電力消費管理方法は、電力需要施設における電力消費を管理する電力消費管理装置における電力消費管理方法であって、電力系統側から電力消費に関する電力管理情報を取得するステップと、前記電力管理情報に基づいて、前記電力需要施設における電力消費に関する指示情報を前記電力需要施設に通知するステップと、前記指示情報の内容、および前記電力需要施設における電力消費に関する前記電力需要施設からの電力消費情報の内容の少なくともいずれか一方を保持する処理を行うステップと、前記処理において保持した内容に基づいて、対象期間において前記電力需要施設で行われた電力消費に関する電力関連情報を作成するステップとを含む。
【００３２】
このような構成により、電力需要施設の電力消費を抑制するとともに、当該電力需要施設の電力消費に関する情報を収集して保持し、たとえば電力需要施設におけるユーザーから情報を要求された場合に、保持した内容を用いて当該ユーザーの要求内容に沿う情報を作成することができる。したがって、電力需要施設における電力消費を管理するとともに、当該電力消費に関する有用な情報を提供することができる。
【００３３】
（７）本発明の実施の形態に係る電力消費管理方法は、電力需要施設における電力消費を管理する電力消費管理装置と、前記電力需要施設に設けられた需要家装置とを備える電力消費管理システムにおける電力消費管理方法であって、前記電力消費管理装置が、電力系統側から電力消費に関する電力管理情報を受信して、前記電力管理情報に基づいて、前記電力需要施設における電力消費に関する指示情報を前記需要家装置へ送信するステップと、前記需要家装置が、前記電力消費管理装置から前記指示情報を受信して、前記指示情報に基づいて負荷を制御するステップと、前記電力消費管理装置が、前記指示情報の内容、および前記電力需要施設における電力消費に関する前記需要家装置からの電力消費情報の内容の少なくともいずれか一方を保持する処理を行うステップと、前記電力消費管理装置が、前記処理において保持した内容に基づいて、対象期間において前記電力需要施設で行われた電力消費に関する電力関連情報を作成するステップとを含む。
【００３４】
このような構成により、電力需要施設の電力消費を抑制するとともに、当該電力需要施設の電力消費に関する情報を収集して保持し、たとえば電力需要施設におけるユーザーから情報を要求された場合に、保持した内容を用いて当該ユーザーの要求内容に沿う情報を作成することができる。したがって、電力需要施設における電力消費を管理するとともに、当該電力消費に関する有用な情報を提供することができる。
【００３５】
（８）本発明の実施の形態に係る電力消費管理プログラムは、電力需要施設における電力消費を管理する電力消費管理装置において用いられる電力消費管理プログラムであって、コンピュータに、電力系統側から電力消費に関する電力管理情報を取得するステップと、前記電力管理情報に基づいて、前記電力需要施設における電力消費に関する指示情報を前記電力需要施設に通知するステップと、前記指示情報の内容、および前記電力需要施設における電力消費に関する前記電力需要施設からの電力消費情報の内容の少なくともいずれか一方を保持する処理を行うステップと、前記処理において保持した内容に基づいて、対象期間において前記電力需要施設で行われた電力消費に関する電力関連情報を作成するステップとを実行させるためプログラムである。
【００３６】
このような構成により、電力需要施設の電力消費を抑制するとともに、当該電力需要施設の電力消費に関する情報を収集して保持し、たとえば電力需要施設におけるユーザーから情報を要求された場合に、保持した内容を用いて当該ユーザーの要求内容に沿う情報を作成することができる。したがって、電力需要施設における電力消費を管理するとともに、当該電力消費に関する有用な情報を提供することができる。
【００３７】
（９）本発明の実施の形態に係る電力消費管理プログラムは、電力需要施設における電力消費を管理する電力消費管理装置と、前記電力需要施設に設けられた需要家装置とを備える電力消費管理システムにおいて用いられる電力消費管理プログラムであって、コンピュータに、前記電力消費管理装置が、電力系統側から電力消費に関する電力管理情報を受信して、前記電力管理情報に基づいて、前記電力需要施設における電力消費に関する指示情報を前記需要家装置へ送信するステップと、前記需要家装置が、前記電力消費管理装置から前記指示情報を受信して、前記指示情報に基づいて負荷を制御するステップと、前記電力消費管理装置が、前記指示情報の内容、および前記電力需要施設における電力消費に関する前記需要家装置からの電力消費情報の内容の少なくともいずれか一方を保持する処理を行うステップと、前記電力消費管理装置が、前記処理において保持した内容に基づいて、対象期間において前記電力需要施設で行われた電力消費に関する電力関連情報を作成するステップとを実行させるためのプログラムである。
【００３８】
このような構成により、電力需要施設の電力消費を抑制するとともに、当該電力需要施設の電力消費に関する情報を収集して保持し、たとえば電力需要施設におけるユーザーから情報を要求された場合に、保持した内容を用いて当該ユーザーの要求内容に沿う情報を作成することができる。したがって、電力需要施設における電力消費を管理するとともに、当該電力消費に関する有用な情報を提供することができる。
【００３９】
以下、本発明の実施の形態について図面を用いて説明する。なお、図中同一または相当部分には同一符号を付してその説明は繰り返さない。また、以下に記載する実施形態の少なくとも一部を任意に組み合わせてもよい。
【００４０】
＜第１の実施の形態＞
［構成および基本動作］
図１は、本発明の実施の形態に係る電力消費管理システムの概要を説明するための図である。
【００４１】
図１を参照して、電力会社または系統運用会社等である電力系統側５は、アグリゲータ６に対して節電要請を行う。アグリゲータ６は、電力系統側５からの節電要請を受けて各電力需要施設７に節電要請を行う。電力需要施設７は、住宅、ビルまたは工場等である。
【００４２】
各電力需要施設７において節電が行われることにより、電力需要施設７はアグリゲータ６へネガワットすなわち削減された消費電力を提供する。アグリゲータ６は、各電力需要施設７から提供されたネガワットを電力系統側５へ提供する。
【００４３】
これに対して、電力系統側５は、アグリゲータ６へインセンティブ、すなわち節電の対価を支払う。アグリゲータ６は、電力系統側５から受けた当該対価を各電力需要施設７へ分配する。
【００４４】
図２は、本発明の第１の実施の形態に係る電力消費管理システムの構成を示す図である。
【００４５】
図２を参照して、電力消費管理システム１は、系統側管理装置１０１と、電力消費管理装置２０１と、複数の需要家装置３０１とを備える。
【００４６】
系統側管理装置１０１は、電力系統側によって運用され、電力消費に関する電力管理情報を電力消費管理装置２０１へ送信する。電力管理情報は、たとえば、節電が必要な期間における電力消費の目標を示す目標情報、消費電力量１ｋＷｈあたりの電気料金をたとえば時間別に示す電気料金情報、または消費電力の削減量に応じてアグリゲータ６に支払われる対価の内容を示すインセンティブ情報を含む。
【００４７】
電気料金情報は、時間帯別料金、ピーク別料金、リアルタイム料金および一律料金等の複数の料金体系の中から選択された料金体系に基づいて作成される。
【００４８】
たとえば、時間帯別料金は、時間帯ごとに電気料金の単価が設定された料金体系である。ピーク別料金は、平常時においては時間帯別料金と同様であるが、緊急時または電力価格高騰時等においては単価が高く引き上げられる料金体系である。緊急時における単価は、たとえば通常の４〜７倍となる。リアルタイム料金は、たとえば１時間ごとの単価が前日に設定される料金体系である。一律料金は、たとえば時間に依らず単価が一定である料金体系である。
【００４９】
需要家装置３０１は、電力需要施設７に設けられる。需要家装置３０１は、電力需要施設７における電気機器の動作を制御することによって消費電力の削減を図るためのＢＥＭＳまたはＨＥＭＳ等のシステムにおいて用いられる装置であり、たとえばアグリゲータ６によって導入される。
【００５０】
電力消費管理装置２０１は、たとえばアグリゲータ６によって運用され、１または複数の需要家装置３０１と通信を行なうことにより、需要家装置３０１が設置された各電力需要施設における電力消費を管理する。
【００５１】
具体的には、電力消費管理装置２０１は、系統側管理装置１０１から受信した電力管理情報に基づいて、電力需要施設７における電力消費に関する指示情報を作成し、１または複数の需要家装置３０１へ通知する。
【００５２】
具体的には、指示情報は、たとえば節電イベントの内容を示す。つまり、指示情報は、電力消費を抑制すべき節電期間、および当該節電期間において削減すべき消費電力量である節電目標を示す。なお、指示情報は、さらに電気料金の単価を示してもよい。また、節電目標は、削減すべき消費電力量に限らず、たとえば削減率または削減割合であってもよいし、目標とする消費電力の上限値であってもよい。
【００５３】
また、電力消費管理装置２０１は、各需要家装置３０１における電力消費等の情報を収集して保持する。具体的には、たとえば、需要家装置３０１は、自己が設置された電力需要施設７における消費電力を示す電力消費情報を定期的または不定期に電力消費管理装置２０１へ送信する。電力消費管理装置２０１は、需要家装置３０１から受信した電力消費情報の内容を保存する。
【００５４】
需要家装置３０１は、電力消費管理装置２０１から指示情報を受信して、当該指示情報の内容に従うか否かを示す指示応答情報を電力消費管理装置２０１へ送信する。具体的には、指示応答情報は、電力需要施設７が指示情報の示す節電イベントに参加するか否かを示す情報である。節電イベントに参加するか否かは、たとえば需要家装置３０１の管理者により事前に設定された内容に基づいて需要家装置３０１が判断する。なお、節電イベントに参加するか否かの判断は、たとえば当該管理者が直接行ってもよい。
【００５５】
電力消費管理装置２０１は、たとえば、複数の需要家装置３０１から節電イベントに参加しない旨を示す指示応答情報を受信すると、消費電力を十分に削減することができないと判断し、１または複数の需要家装置３０１へ新たに指示情報を送信する。
【００５６】
なお、電力消費管理装置２０１は、系統側管理装置１０１および各需要家装置３０１と直接接続される構成に限らず、他の装置を介して系統側管理装置１０１および各需要家装置３０１と接続される構成であってもよい。
【００５７】
ここで、系統側管理装置１０１と電力消費管理装置２０１との通信、および電力消費管理装置２０１と需要家装置３０１との通信は、国際規格であるＯｐｅｎＡＤＲ２．０で規定された通信プロトコルに従って行われる。
【００５８】
また、ＯｐｅｎＡＤＲ２．０では、節電要請の送信側および受信側は、それぞれＶＴＮ（Ｖｉｒｔｕａｌ  Ｔｏｐ  Ｎｏｄｅ）およびＶＥＮ（Ｖｉｒｔｕａｌ  Ｅｎｄ  Ｎｏｄｅ）としてモデル化されている。
【００５９】
たとえば、系統側管理装置１０１および電力消費管理装置２０１の関係においては、系統側管理装置１０１がＶＴＮであり、電力消費管理装置２０１がＶＥＮである。また、電力消費管理装置２０１および需要家装置３０１の関係においては、電力消費管理装置２０１がＶＴＮであり、需要家装置３０１がＶＥＮである。
【００６０】
図３は、本発明の第１の実施の形態に係る電力消費管理システムにおける通信プロトコルの一例を示す図である。
【００６１】
図３を参照して、ＯｐｅｎＡＤＲ２．０では、ＶＴＮとＶＥＮとの通信は、ＸＭＰＰ（Ｅｘｔｅｎｓｉｂｌｅ  Ｍｅｓｓａｇｉｎｇ  ａｎｄ  ＰｒｅｓｅｎｃｅＰｒｏｔｏｃｏｌ）またはＨＴＴＰ（Ｈｙｐｅｒｔｅｘｔ  Ｔｒａｎｓｆｅｒ  Ｐｒｏｔｏｃｏｌ）と、ＴＬＳ（Ｔｒａｎｓｐｏｒｔ  Ｌａｙｅｒ  Ｓｅｃｕｒｉｔｙ）と、ＴＣＰ／ＩＰ（Ｔｒａｎｓｍｉｓｓｉｏｎ  Ｃｏｎｔｒｏl  Ｐｒｏｔｏｃｏｌ／Ｉｎｔｅｒｎｅｔ  Ｐｒｏｔｏｃｏｌ）とに従って行われる。また、メッセージは、ＸＭＬ（Ｅｘｔｅｎｓｉｂｌｅ  Ｍａｒｋｕｐ  Ｌａｎｇｕａｇｅ）で記述され、メッセージのデータ構造はＸＳＤ（ＸＭＬ  Ｓｃｈｅｍａ  Ｄｅｆｉｎｉｔｉｏｎ）で定義される。
【００６２】
図４は、本発明の実施の形態に係る電力消費管理装置がＯｐｅｎＡＤＲ２．０で規定された通信プロトコルに従って需要家装置へ送信することが可能な指示情報の内容の一例を示す図である。
【００６３】
図４を参照して、電力消費管理装置２０１は、指示情報として、節電イベントの対象期間である節電期間、当該節電イベントの内容を通知した日時、および当該節電イベントの開始日時を需要家装置３０１へ送信することができる。また、電力消費管理装置２０１は、節電期間を期間１〜期間３に区切り、各期間における電気料金の単価を需要家装置３０１へ送信することができる。
【００６４】
また、電力消費管理装置２０１は、節電期間を期間Ａ〜期間Ｄに区切り、各期間において削減すべき消費電力量を需要家装置３０１へ送信することができる。
【００６５】
ここで、ＯｐｅｎＡＤＲ２．０に従う通信プロトコルでは、未登録の内容の情報を送受信することが困難である。具体的には、たとえば、需要家装置３０１は、当該通信プロトコルに従った通信において、取得したい情報を要求するために用いる情報Ｙが未登録である場合、情報Ｙを電力消費管理装置２０１に送信することが困難である。
【００６６】
図５は、本発明の実施の形態に係る電力消費管理装置がＯｐｅｎＡＤＲ２．０で規定された通信プロトコルに従って指示情報を送信する際のシーケンスの一例を示す図である。
【００６７】
図５を参照して、まず、需要家装置３０１は、電力消費管理装置２０１に対するポーリングとして、電力消費管理装置２０１へポーリング情報を送信する（ステップＳ２１）。
【００６８】
次に、電力消費管理装置２０１は、需要家装置３０１からポーリング情報を受信して、指示情報を送信可能である場合には当該指示情報を需要家装置３０１へ送信する（ステップＳ２２）。
【００６９】
次に、需要家装置３０１は、電力消費管理装置２０１から指示情報を受信して、当該指示情報の示す節電イベントに参加するか否かを示す指示応答情報を電力消費管理装置２０１へ送信する（ステップＳ２３）。
【００７０】
次に、電力消費管理装置２０１は、需要家装置３０１から指示応答情報を受信して、当該指示応答情報を正しく受信できたことを示す受信応答情報を需要家装置３０１へ送信する（ステップＳ２４）。
【００７１】
図６は、本発明の実施の形態に係る電力消費管理装置がＯｐｅｎＡＤＲ２．０で規定された通信プロトコルに従って需要家装置へ送信することが可能なレポート情報の内容の一例を示す図である。
【００７２】
レポート情報は、電力消費管理装置２０１が需要家装置３０１から受信した電力消費情報に基づいて作成される。
【００７３】
図６を参照して、電力消費管理装置２０１は、レポート情報として、レポートの対象期間であるレポート期間、当該レポート期間の開始日時、および、当該レポート期間に含まれる期間１から期間３の各々におけるエアコンの消費電力量を送信することができる。
【００７４】
また、電力消費管理装置２０１は、レポート情報として、当該対象期間に含まれる期間１から期間３の各々において、電力需要施設７のエアコンの電源スイッチの状態がオンであったかオフであったかを示す情報を送信することができる。
【００７５】
ここで、上述のように、ＯｐｅｎＡＤＲ２．０に従う通信プロトコルでは、未登録の内容の情報を送受信することが困難である。具体的には、たとえば、需要家装置３０１は、当該通信プロトコルに従った通信において、レポート情報の種類を指定するために用いる情報Ｚが未登録である場合、情報Ｚを電力消費管理装置２０１に送信することが困難である。
【００７６】
図７は、本発明の実施の形態に係る電力消費管理装置がＯｐｅｎＡＤＲ２．０で規定された通信プロトコルに従ってレポート情報を送信する際のシーケンスの一例を示す図である。
【００７７】
図７を参照して、まず、需要家装置３０１は、電力消費管理装置２０１に対するポーリングとして、電力消費管理装置２０１へポーリング情報を送信する（ステップＳ３１）。
【００７８】
次に、電力消費管理装置２０１は、需要家装置３０１からポーリング情報を受信して、レポート情報を送信可能である場合には当該レポート情報を需要家装置３０１へ送信する（ステップＳ３２）。
【００７９】
次に、需要家装置３０１は、電力消費管理装置２０１からレポート情報を受信して、当該レポート情報を正しく受信できたことを示す受信応答情報を電力消費管理装置２０１へ送信する（ステップＳ３３）。
【００８０】
図８は、本発明の実施の形態に係る電力消費管理システムの適用例を示す図である。
【００８１】
図８を参照して、電力系統側５には、たとえばサーバである系統側管理装置１０１と、データベース１０２とが設けられている。アグリゲータ６の施設には、たとえばサーバである電力消費管理装置２０１と、データベース２０２と、Ｗｅｂサーバ２０３とが設けられている。電力需要施設７には、需要家装置３０１と、電力測定装置３０２と、リレー制御装置３０３と、分電盤３０４と、キュービクル３０５と、電力センサ３０６と、電力センサ３０７と、リモコンリレー３０８と、照明系統３０９と、コンセント系統３１０と、空調動力３１１と、通信端末装置３１２とが設けられている。なお、通信端末装置３１２は、たとえばパソコンまたはスマートフォンであり、電力需要施設７以外の場所で使用されてもよい。
【００８２】
系統側管理装置１０１は、たとえばデータベース１０２に保存された情報等に基づいて電力管理情報を作成し、作成した電力管理情報を節電要請としてインターネット経由で電力消費管理装置２０１へ送信する。
【００８３】
電力消費管理装置２０１は、系統側管理装置１０１から受信した電力管理情報、およびデータベース２０２に保存された各種情報等に基づいて指示情報を作成し、作成した指示情報をインターネット経由で１または複数の需要家装置３０１へ送信する。また、Ｗｅｂサーバ２０３は、通信端末装置３１２へインターネット経由で各種情報を送信することができる。
【００８４】
需要家装置３０１は、たとえば、電力消費管理装置２０１から受信した指示情報に基づいて、自己の設置された電力需要施設７における負荷を制御する。
【００８５】
具体的には、たとえば、需要家装置３０１は、電力消費管理装置２０１から受信した指示情報に基づいて、リレー制御装置３０３経由でリモコンリレー３０８を制御することにより、たとえばエアコンである空調動力３１１の動作内容を切り替え、空調動力３１１における消費電力を調整する。
【００８６】
空調動力３１１は、キュービクル３０５から電力供給を受けて、電力需要家施設の空調を行う。キュービクル３０５は、変電所から供給される高電圧を電力需要家施設で使用できる低電圧に変圧する受電設備である。
【００８７】
電力センサ３０７は、空調動力３１１における消費電力を測定し、測定結果を電力測定装置３０２へ出力する。
【００８８】
照明系統３０９およびコンセント系統３１０は、分電盤３０４からの電力供給を受ける。
電力センサ３０６は、照明系統３０９およびコンセント系統３１０における消費電力を測定し、測定結果を電力測定装置３０２へ出力する。
【００８９】
電力測定装置３０２は、電力センサ３０６および電力センサ３０７から受けた各測定結果に基づいて、電力需要施設７における消費電力を示す電力消費情報をたとえば定期的に作成し、需要家装置３０１へ出力する。
【００９０】
需要家装置３０１は、電力測定装置３０２から受けた電力消費情報をインターネット経由で電力消費管理装置２０１へ送信する。なお、電力測定装置３０２は、需要家装置３０１を介さずに、電力消費情報をインターネット経由で電力消費管理装置２０１へ送信する構成であってもよい。また、電力測定装置３０２は、電力消費情報を電力消費管理装置２０１へ送信する構成に限らず、系統側管理装置１０１へ送信する構成であってもよい。
【００９１】
また、電力消費管理装置２０１は、空調動力３１１のような電力需要施設７における負荷の制御内容を示す指示情報を需要家装置３０１へ送信する構成であってもよい。この場合、電力消費管理装置２０１は、たとえば、上記制御内容を需要家装置３０１ごとに区別してデータベース２０２に保存する。
【００９２】
電力消費管理装置２０１は、需要家装置３０１から取得した各種情報をデータベース２０２に保存する。また、電力消費管理装置２０１は、インターネット等から各種情報、たとえば、需要家施設の地域における気温、湿度および天候等の過去の気象情報および気象予報情報を取得してデータベース２０２に保存する。
【００９３】
図９は、本発明の実施の形態に係る電力消費管理装置の構成を示す図である。
【００９４】
図９を参照して、電力消費管理装置２０１は、系統側通信部２１と、処理部２２と、需要家通信部２３とを備える。処理部２２は、管理情報取得部１０と、指示部１１と、記録部１２と、関連情報作成部１３と、関連情報送信部１４と、表示情報作成部１５と、消費情報取得部１６と、要求内容取得部１７と、提示部１８と、応答情報取得部１９とを含む。
【００９５】
系統側通信部２１は、所定の通信プロトコルたとえばＯｐｅｎＡＤＲ２．０で規定された通信プロトコルに従って電力系統側５における系統側管理装置１０１と通信する。具体的には、電力消費管理装置２０１における各ユニットが系統側通信部２１経由で行う通信は、たとえばＯｐｅｎＡＤＲ２．０で規定された通信プロトコルに従って行われる。
【００９６】
また、需要家通信部２３は、所定の通信プロトコルたとえばＯｐｅｎＡＤＲ２．０で規定された通信プロトコルに従って電力需要施設７における需要家装置３０１と通信する。具体的には、電力消費管理装置２０１における各ユニットが系統側通信部２１経由で行う通信は、たとえばＯｐｅｎＡＤＲ２．０で規定された通信プロトコルに従って行われる。
【００９７】
管理情報取得部１０は、電力系統側５から電力消費に関する電力管理情報を取得する。具体的には、管理情報取得部１０は、系統側管理装置１０１から送信された電力管理情報を系統側通信部２１経由で受信する。
【００９８】
管理情報取得部１０は、系統側通信部２１から受けた電力管理情報を指示部１１へ出力する。指示部１１は、管理情報取得部１０から受けた電力管理情報に基づいて、電力需要施設７における電力消費に関する指示情報を作成し、電力需要施設７に通知する。
【００９９】
具体的には、たとえば、指示部１１は、管理情報取得部１０から受けた電力管理情報、およびデータベース２０２に保存されている各種情報に基づいて指示情報を作成する。
【０１００】
そして、指示部１１は、作成した指示情報を需要家通信部２３経由で電力需要施設７における需要家装置３０１へ送信する。また、指示部１１は、当該指示情報を記録部１２へ出力する。
【０１０１】
消費情報取得部１６は、需要家通信部２３経由で需要家装置３０１からの電力消費情報を受信して記録部１２へ出力する。
【０１０２】
応答情報取得部１９は、需要家通信部２３経由で需要家装置３０１からの指示応答情報を受信して記録部１２へ出力する。
【０１０３】
記録部１２は、指示部１１から受けた指示情報の内容、および電力需要施設７における電力消費に関する電力消費情報の内容を保持する処理を行う。具体的には、記録部１２は、たとえば、指示部１１から受けた指示情報の内容、消費情報取得部１６から受けた電力消費情報の内容、応答情報取得部１９から受けた指示応答情報の内容をデータベース２０２に保存する。
【０１０４】
なお、記録部１２は、電力消費情報として、電力消費管理装置２０１が取得した他の情報、たとえば需要家装置３０１の設定情報、電力需要施設７における気象情報または電力需要施設７における発電量を示す情報等を保存してもよい。また、記録部１２は、指示情報の内容または電力消費情報の内容のいずれか一方をデータベース２０２に保存する構成であってもよい。
【０１０５】
ここで、たとえば、電力需要施設７の利用者、電力需要施設７の居住者または需要家装置３０１の管理者等であるユーザーは、自己の通信端末装置３１２を用いて、取得したい情報をインターネット経由でＷｅｂサーバ２０３に要求する。具体的には、通信端末装置３１２からＷｅｂサーバ２０３へユーザーの要求内容を示す要求情報が送信される。
【０１０６】
要求内容取得部１７は、たとえばＷｅｂサーバ２０３経由で通信端末装置３１２から要求情報を取得し、取得した要求情報を関連情報作成部１３へ出力する。要求情報には、たとえば、対象期間を指定するための期間指定情報が含まれる。
【０１０７】
なお、ユーザーは、需要家装置３０１を用いて、取得したい情報を電力消費管理装置２０１に要求してもよい。具体的には、需要家装置３０１から電力消費管理装置２０１へ要求情報が送信されてもよい。この場合、要求内容取得部１７は、需要家装置３０１から送信された要求情報を需要家通信部２３経由で取得する。
【０１０８】
関連情報作成部１３は、記録部１２によってデータベース２０２に保持された情報に基づいて、対象期間において電力需要施設７で行われた電力消費に関する電力関連情報を作成する。
【０１０９】
具体的には、たとえば、関連情報作成部１３は、要求内容取得部１７から受けた要求情報が含む期間指定情報の示す対象期間において電力需要施設７で行われた電力消費に関する電力関連情報を作成する。
【０１１０】
より具体的には、電力関連情報は、対象期間における電気料金、対象期間における消費電力の削減量の合計値、対象期間における消費電力の推移、および対象期間において消費電力の削減量が所定値よりも大きかった日、ならびに対象期間において節電イベントが行われた時期、当該節電イベントの内容、および当該節電イベントへ参加したか否か、等を示す情報である。なお、電力関連情報の内容は、テーブルで示されてもよいし、グラフ等で示されてもよい。
【０１１１】
たとえば、関連情報作成部１３は、Ｗｅｂサーバ２０３から受けた要求情報が、ある期間における電力需要施設７の消費電力の合計値を要求する内容である場合、当該合計値を示す電力関連情報を作成する。
【０１１２】
また、たとえば、要求情報が、電力需要施設７に需要家装置３０１が設置された日から当該要求情報が作成された日までの期間において、電力需要施設７における消費電力が所定値よりも大きかった日のリストを要求する内容である場合には、関連情報作成部１３は、当該日のリストを示す電力関連情報を作成する。
【０１１３】
また、要求情報が、過去１年間において行われた節電イベントの内容を要求する内容である場合には、関連情報作成部１３は、当該期間に行われた節電イベントの内容を示す電力関連情報を作成する。
【０１１４】
なお、関連情報作成部１３は、要求情報を取得して、当該要求情報の内容に基づいて電力関連情報を作成する構成に限らず、要求情報を取得しない場合において所定内容の電力関連情報を作成する構成であってもよい。
【０１１５】
具体的には、たとえば、関連情報作成部１３は、指示部１１が需要家装置３０１へ送信した指示情報の示す節電期間を対象期間として電力関連情報を作成する。また、たとえば、関連情報作成部１３は、電力需要施設７における消費電力が所定値以上となった期間を対象期間として電力関連情報を作成する。
【０１１６】
関連情報作成部１３は、作成した電力関連情報を関連情報送信部１４および表示情報作成部１５へ出力する。
【０１１７】
関連情報送信部１４は、関連情報作成部１３から受けた電力関連情報を、所定のプロトコルたとえばＯｐｅｎＡＤＲ２．０で規定された通信プロトコルに従って電力需要施設７へ送信する。具体的には、関連情報送信部１４は、たとえば、電力関連情報を電力需要施設７における需要家装置３０１へ送信する。
【０１１８】
表示情報作成部１５は、電力関連情報の内容を示す画面の情報である表示情報を作成し、作成した表示情報を提示部１８へ出力する。
【０１１９】
提示部１８は、表示情報作成部１５から受けた表示情報を提示するための処理を行う。具体的には、たとえば、提示部１８は、表示情報をＷｅｂサーバ２０３経由で通信端末装置３１２へ送信する。なお、提示部１８は、Ｗｅｂサーバ２０３を経由せずに表示情報を通信端末装置３１２へ送信してもよい。また、提示部１８は、表示情報を需要家通信部２３経由で需要家装置３０１へ送信してもよい。
【０１２０】
なお、電力消費管理装置２０１は、データベース２０２およびＷｅｂサーバ２０３を備える構成であってもよい。
【０１２１】
図１０は、本発明の実施の形態に係る電力消費管理システムにおいて、通信端末装置の画面に表示される内容の一例を示す図である。
【０１２２】
図１０を参照して、画面の左側に表示されたカレンダーは、対象期間である２０１４年２月において、電力需要施設７が節電イベントに参加した日と、節電イベントが行われたが参加しなかった日とを示している。画面の右側には、同じ月における電気料金と、消費電力削減量と、削減電気料金とが表示されている。削減電気料は、たとえば、消費電力の削減が行われたことによって削減された電気料金である。
【０１２３】
図１１および図１２は、本発明の実施の形態に係る電力消費管理システムにおいて、通信端末装置の画面に表示される内容の他の例を示す図である。
【０１２４】
図１１を参照して、画面の左側は、「料金」および「電力量」のうち、たとえばユーザーにより選択された「料金」に関する内容が画面に表示されていることを示している。棒グラフは、対象期間である２月３日における時間別の電気料金を示している。
【０１２５】
図１２を参照して、画面の左側は、「料金」および「電力量」のうち、たとえばユーザーにより選択された「電力量」に関する内容が画面に表示されていることを示している。棒グラフは、対象期間である２月３日における時間別の消費電力量を示している。一点鎖線で示された折れ線グラフは、節電期間におけるベース電力量を示している。実線で示された折れ線グラフは、当該節電期間において目標とされた消費電力の上限値である節電目標とを示している。ベース電力量は、過去のデータに基づいて算出された消費電力のベースラインである。
【０１２６】
［動作］
次に、本発明の実施の形態に係る電力消費管理システムが電力関連情報を作成する際の動作について説明する。
【０１２７】
電力消費管理システムにおける各装置は、コンピュータを備え、当該コンピュータにおけるＣＰＵ等の演算処理部は、以下のフローチャートおよびシーケンスの各ステップの一部または全部を含むプログラムを図示しないメモリから読み出して実行する。これら複数の装置のプログラムは、それぞれ、外部からインストールすることができる。これら複数の装置のプログラムは、それぞれ、記録媒体に格納された状態で流通する。
【０１２８】
図１３は、本発明の実施の形態に係る電力消費管理システムが電力関連情報を作成する際の動作手順の一例を定めたシーケンス図である。
【０１２９】
図１３を参照して、まず、需要家装置３０１は、自己が設置された電力需要施設７における消費電力を示す電力消費情報を定期的または不定期に電力消費管理装置２０１へ送信する（ステップＳ４０）。
【０１３０】
次に、電力消費管理装置２０１は、需要家装置３０１から電力消費情報を受信して、受信した電力消費情報の内容をたとえばデータベース２０２に保持する処理を行う（ステップＳ４１）。
【０１３１】
また、系統側管理装置１０１は、たとえば翌日の電力需要を予測し、電力需給が逼迫する可能性が高い場合、電力消費の抑制を行なうべきであると判断する（ステップＳ４２）。
【０１３２】
より詳細には、系統側管理装置１０１は、たとえば、既知の需要予測技術を用いて、具体的にはニューラルネットワークまたは自己回帰分析等の技術を用いて、全体的な電力需要を予測する。あるいは、系統側管理装置１０１は、たとえば、過去Ｘ日分の消費電力量のデータから、特異日を除いたＹ日分の消費電力量の平均値を算出する。
【０１３３】
次に、系統側管理装置１０１は、電力消費に関する電力管理情報を電力消費管理装置２０１へ送信する（ステップＳ４３）。電力管理情報は、たとえば、電力消費の目標を示す目標情報、電気料金の時間別の単価を示す電気料金情報、または節電すべき対象期間における消費電力の削減量に応じてアグリゲータ６に支払われる対価の内容を示すインセンティブ情報を含む。
【０１３４】
次に、電力消費管理装置２０１は、系統側管理装置１０１から電力管理情報を受信して、受信した電力管理情報に基づいて指示情報を作成し、需要家装置３０１へ送信する（ステップＳ４４）。指示情報は、たとえば、節電期間および当該節電期間における節電目標等、節電イベントの内容を示す。
【０１３５】
次に、電力消費管理装置２０１は、作成した指示情報の内容をたとえばデータベース２０２に保持する処理を行う（ステップＳ４５）。なお、電力消費管理装置２０１は、指示情報を需要家装置３０１へ送信する前に当該処理を行ってもよい。
【０１３６】
次に、需要家装置３０１は、電力消費管理装置２０１からの指示情報を受信して、節電イベントに参加するか否かを示す指示応答情報を電力消費管理装置２０１へ送信する（ステップＳ４６）。ここでは、需要家装置３０１は、節電イベントに参加する旨を示す指示応答情報を送信する。
【０１３７】
次に、需要家装置３０１は、電力消費管理装置２０１から受信した指示情報の示す節電期間が始まると、当該指示情報に基づいて、自己の設置された電力需要施設７における負荷を制御する（ステップＳ４７）。具体的は、たとえば、需要家装置３０１は、自己の設置された電力需要施設７におけるエアコン等の機器を制御することによって、当該電力需要施設７における電力消費を抑制する。
【０１３８】
また、需要家装置３０１は、電力消費情報を定期的または不定期に電力消費管理装置２０１へ送信する（ステップＳ４８）。
【０１３９】
次に、電力消費管理装置２０１は、需要家装置３０１から電力消費情報を受信して、受信した電力消費情報の内容をたとえばデータベース２０２に保持する処理を行う（ステップＳ４９）。
【０１４０】
次に、通信端末装置３１２は、Ｗｅｂサーバ２０３へ要求情報を送信する（ステップＳ５０）。要求情報は、ユーザーが取得したい情報の内容を示す情報であり、たとえば、対象期間を指定するための期間指定情報を含む。
【０１４１】
次に、Ｗｅｂサーバ２０３は、通信端末装置３１２から要求情報を受信して、受信した要求情報を電力消費管理装置２０１へ送信する（ステップＳ５１）。
【０１４２】
電力消費管理装置２０１は、Ｗｅｂサーバ２０３から要求情報を受信し、受信した要求情報に基づいてデータベース２０２から必要な情報を取得し、電力関連情報を作成する（ステップＳ５２）。そして、電力消費管理装置２０１は、電力関連情報の内容を示す画面の情報である表示情報を作成し（ステップＳ５３）、作成した表示情報をＷｅｂサーバ２０３へ送信する（ステップＳ５４）。
【０１４３】
Ｗｅｂサーバ２０３は、電力消費管理装置２０１から表示情報を受信して、受信した表示情報を通信端末装置３１２へ送信する（ステップＳ５５）。
【０１４４】
ステップＳ４０，Ｓ４３，Ｓ４４，Ｓ４６，Ｓ４８の動作は、たとえばＯｐｅｎＡＤＲ２．０で規定された通信プロトコルに従って行われる。なお、ステップＳ４０，Ｓ４３，Ｓ４４，Ｓ４６，Ｓ４８の動作は、当該通信プロトコルに限らず、他の通信プロトコルに従って行われてもよい。
【０１４５】
図１４は、本発明の実施の形態に係る電力消費管理システムが電力関連情報を作成する際の動作手順の他の例を定めたシーケンス図である。
【０１４６】
図１４を参照して、ステップＳ６０〜Ｓ６９の動作は、図１３に示すステップＳ４０〜Ｓ４９の動作と同様である。
【０１４７】
次に、需要家装置３０１は、電力消費管理装置２０１へ要求情報を送信する（ステップＳ７０）。要求情報は、たとえば、対象期間を指定するための期間指定情報を含む。
【０１４８】
電力消費管理装置２０１は、需要家装置３０１から要求情報を受信して、受信した要求情報に基づいてデータベース２０２から必要な情報を取得し、電力関連情報を作成する（ステップＳ７１）。そして、電力消費管理装置２０１は、作成した電力関連情報を需要家装置３０１へ送信する（ステップＳ７２）。
【０１４９】
ステップＳ６０，Ｓ６３，Ｓ６４，Ｓ６６，Ｓ６８，Ｓ７０，Ｓ７２の動作は、たとえばＯｐｅｎＡＤＲ２．０で規定された通信プロトコルに従って行われる。なお、ステップＳ６０，Ｓ６３，Ｓ６４，Ｓ６６，Ｓ６８，Ｓ７０，Ｓ７２の動作は、当該通信プロトコルに限らず、他の通信プロトコルに従って行われてもよい。
【０１５０】
また、図５および図７に示す動作は、たとえば図１３および図１４に示す動作と並行して行われる。
【０１５１】
ところで、ｘＥＭＳを導入した電力需要施設の消費電力量の推移等をユーザーのモニターに表示する場合がある。モニターに表示される情報は、たとえばアグリゲータが当該電力需要施設における消費電力量の監視結果に基づいて作成し、ユーザーの端末装置等に送信される。このような電力需要施設の電力消費に関するより有用な情報をユーザーに提供できる技術が望まれる。
【０１５２】
これに対して、本発明の実施の形態に係る電力消費管理システムでは、電力消費管理装置２０１は、電力系統側５から電力消費に関する電力管理情報を受信して、当該電力管理情報に基づいて、電力需要施設７における電力消費に関する指示情報を需要家装置３０１へ送信する。需要家装置３０１は、電力消費管理装置２０１から指示情報を受信して、当該指示情報に基づいて、たとえば電力需要施設７における負荷を制御する。電力消費管理装置２０１は、上記指示情報の内容、および電力需要施設７における電力消費に関する需要家装置３０１からの電力消費情報の内容の少なくともいずれか一方を保持する処理を行う。そして、電力消費管理装置２０１は、上記処理において保持した内容に基づいて、対象期間において電力需要施設７で行われた電力消費に関する電力関連情報を作成する。
【０１５３】
また、本発明の実施の形態に係る電力消費管理装置では、管理情報取得部１０は、電力系統側５から電力消費に関する電力管理情報を取得する。指示部１１は、電力管理情報に基づいて、電力需要施設７における電力消費に関する指示情報を電力需要施設７に通知する。記録部１２は、指示情報の内容、および電力需要施設７における電力消費に関する電力需要施設７からの電力消費情報の内容の少なくともいずれか一方を保持する処理を行う。そして、関連情報作成部１３は、記録部１２によって保持された内容に基づいて、対象期間において電力需要施設７で行われた電力消費に関する電力関連情報を作成する。
【０１５４】
このような構成により、電力需要施設７の電力消費を抑制するとともに、当該電力需要施設７の電力消費に関する情報を収集して保持し、たとえば電力需要施設７におけるユーザーから情報を要求された場合に、保持した内容を用いて当該ユーザーの要求内容に沿う情報を作成することができる。
【０１５５】
したがって、本発明の実施の形態に係る電力消費管理システムおよび電力消費管理装置では、電力需要施設７における電力消費を管理するとともに、当該電力消費に関する有用な情報を提供することができる。
【０１５６】
また、本発明の実施の形態に係る電力消費管理装置では、指示部１１は、指示情報を所定の通信プロトコルに従って電力需要施設７へ送信する。関連情報送信部１４は、当該通信プロトコルに従って電力関連情報を電力需要施設７へ送信する。
【０１５７】
このような構成により、所定の通信プロトコルに従って電力消費管理装置２０１と通信を行う電力需要施設７における装置へ電力関連情報を送信することができるため、たとえば他の装置を介することなく直接的に電力関連情報の内容を電力需要施設７におけるユーザーに提示することができる。
【０１５８】
また、本発明の実施の形態に係る電力消費管理装置では、表示情報作成部１５は、電力関連情報の内容を示す画面の情報を作成する。
【０１５９】
このような構成により、Ｗｅｂサイト等の汎用的な技術を用いて管理情報の内容をユーザーに提示することができる。
【０１６０】
また、本発明の実施の形態に係る電力消費管理装置では、要求内容取得部１７は、上記対象期間を指定するための期間指定情報を取得する。
【０１６１】
このような構成により、たとえばユーザーによって指定された期間の情報を選択的に作成してユーザーに提示することができる。
【０１６２】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０１６３】
以上の説明は、以下に付記する特徴を含む。
【０１６４】
［付記１］
電力需要施設における電力消費を管理する電力消費管理装置であって、
電力系統側から電力消費に関する電力管理情報を取得する管理情報取得部と、
前記電力管理情報に基づいて、前記電力需要施設における電力消費に関する指示情報を前記電力需要施設に通知する指示部と、
前記指示情報の内容、および前記電力需要施設における電力消費に関する前記電力需要施設からの電力消費情報の内容の少なくともいずれか一方を保持する処理を行う記録部と、
前記記録部によって保持された内容に基づいて、対象期間において前記電力需要施設で行われた電力消費に関する電力関連情報を作成する関連情報作成部とを備え、
前記電力管理情報は、電力消費の抑制が必要な期間における消費電力の目標、電気料金の単価、および消費電力の削減量に応じて支払われる対価の内容の少なくともいずれか１つを含む、電力消費管理装置。
【０１６５】
［付記２］
電力需要施設における電力消費を管理する電力消費管理装置と、
前記電力需要施設に設けられた需要家装置とを備え、
前記電力消費管理装置は、電力系統側から電力消費に関する電力管理情報を受信して、前記電力管理情報に基づいて、前記電力需要施設における電力消費に関する指示情報を前記需要家装置へ送信し、
前記需要家装置は、前記電力消費管理装置から前記指示情報を受信して、前記指示情報に基づいて負荷を制御し、
前記電力消費管理装置は、前記指示情報の内容、および前記電力需要施設における電力消費に関する前記需要家装置からの電力消費情報の内容の少なくともいずれか一方を保持する処理を行い、
前記電力消費管理装置は、前記処理において保持した内容に基づいて、対象期間において前記電力需要施設で行われた電力消費に関する電力関連情報を作成し、
前記電力管理情報は、電力消費の抑制が必要な期間における消費電力の目標、電気料金の単価、および消費電力の削減量に応じて支払われる対価の内容の少なくともいずれか１つを含む、電力消費管理システム。
【符号の説明】
【０１６６】
１  電力消費管理システム
５  電力系統側
６  アグリゲータ
７  電力需要施設
１０  管理情報取得部
１１  指示部
１２  記録部
１３  関連情報作成部
１４  関連情報送信部
１５  表示情報作成部
１６  消費情報取得部
１７  要求内容取得部
１８  提示部
１９  応答情報取得部
２１  系統側通信部
２２  処理部
２３  需要家通信部
１０１  系統側管理装置
１０２，２０２  データベース
２０１  電力消費管理装置
２０３  Ｗｅｂサーバ
３０１  需要家装置
３０２  電力測定装置
３０３  リレー制御装置
３０４  分電盤
３０５  キュービクル
３０６  電力センサ
３０７  電力センサ
３０８  リモコンリレー
３０９  照明系統
３１０  コンセント系統
３１１  空調動力
３１２  通信端末装置
【図１】
2016015850.tif 000003
【図２】
2016015850.tif 000004
【図３】
2016015850.tif 000005
【図４】
2016015850.tif 000006
【図５】
2016015850.tif 000007
【図６】
2016015850.tif 000008
【図７】
2016015850.tif 000009
【図８】
2016015850.tif 000010
【図９】
2016015850.tif 000011
【図１０】
2016015850.tif 000012
【図１１】
2016015850.tif 000013
【図１２】
2016015850.tif 000014
【図１３】
2016015850.tif 000015
【図１４】
2016015850.tif 000016